(57)【要約】【課題】携帯端末用コネクタカバーを簡単な構成で容易に開き動作を行えるようにする。【解決手段】電話機本体３に凹陥され、ＵＳＢ端子５が露出するコネクタ用凹部６を覆うコネクタカバー７において、基端側がコネクタ用凹部６に形成された挿入孔６ａに該コネクタ用凹部６周縁表面と略垂直に挿入される軸部８と、軸部８の先端側に連続し、コネクタ用凹部６の周縁と連接するように嵌め込まれるカバー本体１０と、カバー本体１０の周縁に凹陥された引っ掛け部とを備え、カバー本体１０は、成形後の形状が、軸部８の伸びる方向に対して９０度よりも大きく開いた状態となるように弾性材料によって軸部８と共に一体成形される。【選択図】図１
2012064363.tif 000002
【特許請求の範囲】
【請求項１】
携帯端末本体に凹陥され、外部接続端子が露出するコネクタ用凹部を覆う携帯端末用コネクタカバーにおいて、
基端側が上記コネクタ用凹部に形成された挿入孔に該コネクタ用凹部周縁表面と略垂直に挿入される軸部と、
上記軸部の先端側に連続し、上記コネクタ用凹部の周縁と連接するように嵌め込まれるカバー本体と、
上記カバー本体の周縁に凹陥された引っ掛け部とを備え、
上記カバー本体は、成形後の形状が、上記軸部の伸びる方向に対して９０度よりも大きく開いた状態となるように弾性材料によって該軸部と共に一体成形される
ことを特徴とする携帯端末用コネクタカバー。
【請求項２】
請求項１に記載の携帯端末用コネクタカバーにおいて、
上記カバー本体の表面における上記軸部の近傍には、ヒンジ用凹部が凹陥され、該ヒンジ用凹部の部分で予め成形時に該カバー本体が折り曲げられている
ことを特徴とする携帯端末用コネクタカバー。
【請求項３】
請求項１又は２に記載の携帯端末用コネクタカバーにおいて、
上記カバー本体は、上記ヒンジ用凹部の部分で該ヒンジ用凹部の伸びる方向に垂直な方向を中心に捩れるように成形されている
ことを特徴とする携帯端末用コネクタカバー。
【請求項４】
請求項１乃至３のいずれか１つに記載の携帯端末用コネクタカバーにおいて、
上記軸部の軸心方向中間の外周には、上記カバー本体の長手方向外側にのみ突出する突条部が突設されている
ことを特徴とする携帯端末用コネクタカバー。
【請求項５】
請求項１乃至４のいずれか１つに記載の携帯端末用コネクタカバーにおいて、
上記カバー本体における上記軸部の反対側には、該軸部と反対側に先端が伸びる鉤部が形成されている
ことを特徴とする携帯端末用コネクタカバー。
【請求項６】
請求項１乃至５のいずれか１つに記載の携帯端末用コネクタカバーにおいて、
上記弾性材料は、熱可塑性ポリウレタンエラストマーである
ことを特徴とする携帯端末用コネクタカバー。
【請求項７】
携帯端末本体に凹陥され、外部接続端子が露出するコネクタ用凹部を覆う携帯端末用コネクタカバーにおいて、
基端側が上記コネクタ用凹部に形成された挿入孔に該コネクタ用凹部周縁表面と略垂直に挿入される軸部と、
上記軸部の先端側に連続し、上記コネクタ用凹部の周縁と連接するように嵌め込まれるカバー本体と、
上記カバー本体の周縁に凹陥された引っ掛け部とを備え、
上記カバー本体を上記引っ掛け部に爪を掛けて引き出すと、該カバー本体自体の弾性により、該カバー本体が上記コネクタ用凹部から飛び出し、上記外部接続端子が露出するように構成されている
ことを特徴とする携帯端末用コネクタカバー。
【請求項８】
請求項１乃至７のいずれか１つに記載の携帯端末用コネクタカバーを備えた
ことを特徴とする携帯端末。
【発明の詳細な説明】
【技術分野】
【０００１】
本発明は、携帯電話機の筐体などの携帯端末本体に凹陥され、外部接続端子が露出するコネクタ用凹部を覆う携帯端末用コネクタカバー及びそれを備えた携帯端末に関するものである。
【背景技術】
【０００２】
従来より、例えば、特許文献１に示すように、機器を収めるための２つ以上の筐体と、これら筐体の重なり合う部分に隙間を備え、隙間に隣接して備えられ、隙間に隣接する筐体側に指先や爪を掛けるための切り欠き部を有する内部保護のための蓋である開閉可能なカバーとを備える小型電子機器が知られている。このカバーは、切り欠き部に指や爪を掛けることにより、カバーを開けることができるようになっている。
【先行技術文献】
【特許文献】
【０００３】
【特許文献１】特開２０１０−８０２０９号公報
【発明の概要】
【発明が解決しようとする課題】
【０００４】
しかしながら、従来の携帯端末用コネクタカバーでは、外観を悪くしないようにしながら、埃が溜まりにくくするために、筐体の表面とコネクタカバーの表面とで高さの差を無くしているので、切り欠き部に指先や爪を掛けにくくなっている。そして、指先や爪をうまく引っ掛けられないと、コネクタカバーが再び閉じるのでコネクタカバーを開けるのが面倒という問題があった。
【０００５】
本発明は、かかる点に鑑みてなされたものであり、その目的とするところは、携帯端末用コネクタカバーを簡単な構成で容易に開くことができるようにすることにある。
【課題を解決するための手段】
【０００６】
上記の目的を達成するために、この発明では、コネクタカバー自体の付勢力によってコネクタカバーを開きやすくするようにした。
【０００７】
具体的には、第１の発明では、携帯端末本体に凹陥され、外部接続端子が露出するコネクタ用凹部を覆う携帯端末用コネクタカバーを対象とする。
【０００８】
そして、上記携帯端末用コネクタカバーは、
基端側が上記コネクタ用凹部に形成された挿入孔に該コネクタ用凹部周縁表面と略垂直に挿入される軸部と、
上記軸部の先端側に連続し、上記コネクタ用凹部の周縁と連接するように嵌め込まれるカバー本体と、
上記カバー本体の周縁に凹陥された引っ掛け部とを備え、
上記カバー本体は、成形後の形状が、上記軸部の伸びる方向に対して９０度よりも大きく開いた状態となるように弾性材料によって該軸部と共に一体成形される構成とする。
【０００９】
上記の構成によると、弾性材料よりなる携帯端末用コネクタカバーのカバー本体を予めコネクタ用凹部に対して開く方向に変形させて成形することにより、コネクタカバーでコネクタ用凹部を閉じるときに弾性エネルギーを蓄えておくことができ、この弾性エネルギーを利用することで、引っ掛け部に爪や指先を引っ掛けてコネクタカバーを開くときにコネクタカバーが開きやすくなる。
【００１０】
第２の発明では、第１の発明において、
上記カバー本体の表面における上記軸部の近傍には、ヒンジ用凹部が凹陥され、該ヒンジ用凹部の部分で予め成形時に該カバー本体が折り曲げられている。
【００１１】
上記の構成によると、ヒンジ用凹部を設け、この部分でカバー本体を予め開く方向に折り曲げて成形しておくことで、カバー本体でコネクタ用凹部を閉じるときに、カバー本体の弾性エネルギーを蓄えることができる。
【００１２】
第３の発明では、第１又は第２の発明において、
上記カバー本体は、上記ヒンジ用凹部の部分で該ヒンジ用凹部の伸びる方向に垂直な方向を中心に捩れるように成形されている。
【００１３】
上記の構成によると、さらにカバー本体が捩れる方向に予め成形しておくことにより、コネクタカバーが開いたときに、ヒンジ用凹部からの隙間がさらに大きくなる部分ができ、コネクタカバーの開閉操作が一層容易となる。
【００１４】
第４の発明では、第１乃至第３のいずれか１つの発明において、
上記軸部の軸心方向中間の外周には、上記カバー本体の長手方向外側にのみ突出する突条部が突設されている。
【００１５】
上記の構成によると、軸部の軸心方向中間の外周の一部に突条部を設けているので、カバー本体を閉じているときに軸部が適度に固定される。一方、軸部の軸心方向中間の外周のカバー本体の長手方向内側には突条部が設けられていないので、引っ掛け部に指先又は爪を引っ掛けてカバー本体を撓ませながら開くときに、突条部が挿入孔に引っ掛からず、開き動作を阻害しない。
【００１６】
第５の発明では、第１乃至第４のいずれか１つの発明において、
上記カバー本体における上記軸部の反対側には、該軸部と反対側に先端が伸びる鉤部が形成されている。
【００１７】
上記の構成によると、カバー本体の軸部の反対側に鉤部を外側に向けて突出させるように設けているので、引っ掛け部に指先又は爪を掛けてカバー本体を撓ませながら開くときに鉤部の係止を開放しやすい。
【００１８】
第６の発明では、第１乃至第５のいずれか１つの発明において、
上記弾性材料は、熱可塑性ポリウレタンエラストマーとする。
【００１９】
上記の構成によると、加硫ゴムに似た弾性を持ちながら、通常のプラスチックと同様な成形加工ができるので、予めカバー本体を変形させておくような成形が容易な上、弾性エネルギーを蓄えやすい。
【００２０】
第７の発明では、第１の発明と同様に携帯端末用コネクタカバーを対象とし、
上記携帯端末用コネクタカバーは、
基端側が上記コネクタ用凹部に形成された挿入孔に該コネクタ用凹部周縁表面と略垂直に挿入される軸部と、
上記軸部の先端側に連続し、上記コネクタ用凹部の周縁と連接するように嵌め込まれるカバー本体と、
上記カバー本体の周縁に凹陥された引っ掛け部とを備え、
上記カバー本体を上記引っ掛け部に爪を掛けて引き出すと、該カバー本体自体の弾性により、該カバー本体が上記コネクタ用凹部から飛び出し、上記外部接続端子が露出するように構成されている。
【００２１】
上記の構成によると、弾性材料よりなる携帯端末用コネクタカバーのカバー本体を予めコネクタ用凹部に対して開く方向に変形させて成形することにより、コネクタカバーでコネクタ用凹部を閉じるときに弾性エネルギーを蓄えておくことができ、この弾性エネルギーを利用することで、引っ掛け部に爪や指先を引っ掛けてコネクタカバーを開くときにコネクタカバーが飛び出して外部接続端子が露出するので、接続操作が容易となる。
【００２２】
第８の発明では、携帯端末は、第１乃至第７のいずれか１つの発明の携帯端末用コネクタカバーを備えるものとする。
【００２３】
上記の構成によると、コネクタカバーが開きやすく、外部接続端子への接続が容易な商品性の高い携帯端末が得られる。
【発明の効果】
【００２４】
以上説明したように、本発明によれば、コネクタ用凹部に形成された挿入孔に挿入される軸部の先端側にコネクタ用凹部の周縁と連接するように嵌め込まれるカバー本体を軸部の伸びる方向に対して９０度よりも大きく開いた状態となるように弾性材料によって一体成形することにより、簡単な構成で容易に開き動作を行うことができる。
【図面の簡単な説明】
【００２５】
【図１】実施形態にかかるコネクタカバーを開いたときの図５相当図である。
【図２】携帯電話機の正面側を示す斜視図である。
【図３】携帯電話機の背面側を示す斜視図である。
【図４】携帯電話機の左側面図である。
【図５】図４のＶ−Ｖ線拡大断面図である。
【図６】図４のVI−VI線拡大断面図である。
【図７】閉じ状態のコネクタカバーを正面側から見た斜視図である。
【図８】閉じ状態のコネクタカバーを背面側から見た斜視図である。
【図９】コネクタカバーを開いたときの図６相当図である。
【図１０】成形後のコネクタカバーを正面側から見た斜視図である。
【図１１】成形後のコネクタカバーを示す平面図である。
【図１２】その他の実施形態にかかるコネクタカバーの図１０相当図である。
【発明を実施するための形態】
【００２６】
以下、本発明の実施形態を図面に基づいて説明する。
【００２７】
図２〜図４は本発明の実施形態にかかる携帯端末としての携帯電話機１を示し、この携帯電話機１は、タッチパネル２が表面側に嵌め込まれた携帯端末本体としての電話機本体３を備えている。電話機本体３は、四角が丸められた板状の形態を有し、タッチパネル２が嵌め込まれる正面側キャビネット３ａと、この正面側キャビネット３ａの背面側を覆う背面側キャビネット３ｂとを含む。正面から見て左側の正面側キャビネット３ａと背面側キャビネット３ｂとの間の合わせ面３ｃには、コネクタ用凹部６が設けられている。
【００２８】
図５及び図６に断面で示すように、このコネクタ用凹部６の内部には、外部接続端子としてのＵＳＢ端子５が露出している。このＵＳＢ端子５を使用しないときには、コネクタ用凹部６は、携帯端末用コネクタカバーとしてのコネクタカバー７で覆われている。
【００２９】
図７及び図８にコネクタ用凹部６を閉じたときの形状を示すように、コネクタカバー７は、基端側がコネクタ用凹部６に形成された円形の挿入孔６ａに挿入される軸部８を備えている。軸部８は、コネクタ用凹部６の周縁表面と略垂直に（携帯電話機１の右方向に）挿入されるようになっている。この軸部８は、断面円形の円柱状のもので、基端側は中間よりも外径が大きくなった抜け止め部９が形成されている。軸部８の軸心方向中間には、軸部８よりも若干外径が大きくなった突条部８ａが形成され、軸部８を挿入孔６ａに挿入したときのクリック感が得られるようになっている。突条部８ａは、軸部８のカバー本体１０の長手方向外側にのみ突出し、軸心方向から見てＣ字状に連続している。なお、この突条部８ａは、Ｃ字状に連続したものではなく、軸部８のカバー本体１０の長手方向外側に離散的に設けた突起でもよい。
【００３０】
軸部８の先端側には、コネクタ用凹部６の周縁と連接するように嵌め込まれる、矩形板状のカバー本体１０が一体に連結されている。合わせ面３ｃと反対側（背面側）に位置するカバー本体１０の一辺には、指先や爪挿入して引っ掛けるための引っ掛け部１１が凹陥されている。カバー本体１０の軸部８と反対側には、コネクタ用凹部６の係合孔６ｂに挿入される鉤部１２が形成されている。この鉤部１２の先端の引っ掛かけ部分は、軸部８と反対側に伸びている。また、合わせ面３ｃ側に位置するカバー本体１０の一辺には、複数の係止爪１３が形成されている。
【００３１】
また、カバー本体１０の表面における軸部８の近傍には、カバー本体１０の長手方向に略垂直にヒンジ用凹部１４が凹陥されている。このヒンジ用凹部１４の部分が他の部分よりも薄肉となっていることで、カバー本体１０が折れ曲がりやすくなっている。このことで、カバー本体１０を手前に引き出しやすくなっている。また、カバー本体１０をヒンジ用凹部１４で折り曲げた状態で軸部８を中心に回転可能となっている。
【００３２】
そして、本発明の特徴として、図１、図９〜図１１に示すように、カバー本体１０は、成形後の形状がヒンジ用凹部１４において折れ曲がった状態となるように、弾性材料としての熱可塑性ポリウレタンエラストマーによって軸部８と共に一体成形されている。つまり、図１１に示すように、カバー本体１０に力を加えない状態で、軸部８の伸びる方向（Ｘ軸）とカバー本体１０の長手方向（Ｙ軸）との角度αが９０°よりも大きく開いている（α＞９０°）。αの大きさは、例えば１００°であり、小さすぎて弾性エネルギーを十分に蓄えることができないことはなく、大きすぎて自然に開いてしまわない程度であればよい。詳細には説明しないが、熱可塑性ポリウレタンエラストマーで射出成形する際の成形型のキャビティを予めカバー本体１０が開いた形状のものとすればよい。このことで、カバー本体１０を引っ掛け部１１に爪を掛けて引き出すと、カバー本体１０自体の弾性により、カバー本体１０がコネクタ用凹部６から飛び出し、ＵＳＢ端子５が露出するように構成されている。熱可塑性ポリウレタンエラストマーは、加硫ゴムに似た弾性を持ちながら、通常のプラスチックと同様な成形加工ができるので、予めカバー本体１０を変形させておくような成形が容易であるのに加え、弾性エネルギーを蓄えやすくなっている。
【００３３】
このようにしてコネクタカバー７が開きやすく、ＵＳＢ端子５への接続が容易な商品性の高い携帯電話機１が得られる。
【００３４】
−コネクタカバー７の使用方法−
次に、本実施形態にかかるコネクタカバー７の使用方法について説明する。
【００３５】
ＵＳＢ端子５を使用しないときは、図５及び図６に示すように、軸部８が挿入孔６ａに挿入され、鉤部１２が係合孔６ｂに係止されると共に、係止爪１３がコネクタ用凹部６の周縁に係止されることで、コネクタカバー７がＵＳＢ端子５を密閉している。このとき、カバー本体１０の表面高さとコネクタ用凹部６周縁の表面高さとがほぼ同一となり、表面が連続したように見えて見映えがよいと共に、埃が溜まりにくくなっている。このとき、熱可塑性ポリウレタンエラストマーよりなるコネクタカバー７のカバー本体１０を予めコネクタ用凹部６に対して開く方向に変形させて成形しているので、コネクタカバー７でコネクタ用凹部６を閉じた状態で弾性エネルギーを蓄えておくことができる。
【００３６】
そして、ＵＳＢ端子５を用いるときには、引っ掛け部１１に指先や爪挿入して引っ掛けてカバー本体１０を持ち上げる。カバー本体１０を撓ませながら開くときには、鉤部１２の引っ掛け部分をカバー本体１０の軸部８の反対側に外側に向けて突出させているので、鉤部１２と係合孔６ｂとの係止を開放しやすい。しかも、軸部８の外周のカバー本体１０の長手方向内側には突条部８ａが設けられていないので、突条部８ａが挿入孔６ａに引っ掛からず、開き動作を阻害しない。そして、カバー本体１０に蓄えられていた弾性エネルギーにより、コネクタカバー７を持ち上げるとコネクタカバー７が一気に開き、その開いた状態で保持される。
【００３７】
そして、十分に開いたカバー本体１０を指でつまんで引っ張ると、軸部８の突条部８ａが挿入孔６ａを超え、抜け止め部９が挿入孔６ａの周縁に当接する。この状態でカバー本体１０を回転させてＵＳＢ端子を露出させることができる。
【００３８】
したがって、本実施形態にかかるコネクタカバー７によると、簡単な構成で容易に開き動作を行うことができる。
【００３９】
（その他の実施形態）
本発明は、上記実施形態について、以下のような構成としてもよい。
【００４０】
すなわち、上記実施形態では、外部接続端子をＵＳＢ端子５としたが、イヤホン端子、充電端子等としてもよく、特に制限はない。
【００４１】
また、図１２に示すように、カバー本体１０を上記実施形態のようにα＞９０°に開くだけでなく、ヒンジ用凹部１４の部分でヒンジ用凹部１４の伸びる方向に垂直な方向（Ｙ軸）を中心に捩れるように成形してもよい。このように成形すると、コネクタカバー１０７が開いたときに、ヒンジ用凹部１４からの隙間がさらに大きくなり、コネクタカバー１０７の開閉操作がさらに容易となる。
【００４２】
上記実施形態では、携帯端末は、携帯電話機としたが、ＰＨＳ（Personal Handy-phone System ）、ＰＤＡ(Personal Digital Assistant)、パソコン、モバイルツール、電子辞書、電卓、ゲーム機等であってもよい。
【００４３】
なお、以上の実施形態は、本質的に好ましい例示であって、本発明、その適用物や用途の範囲を制限することを意図するものではない。
【符号の説明】
【００４４】
１      携帯電話機（携帯端末）
３      電話機本体（携帯端末本体）
５      ＵＳＢ端子（外部接続端子）
６      コネクタ用凹部
６ａ    挿入孔
７      コネクタカバー（携帯端末用コネクタカバー）
８      軸部
１０      カバー本体
１１      引っ掛け部
１４      ヒンジ用凹部
１０７      コネクタカバー（携帯端末用コネクタカバー）
【図１】
2012064363.tif 000003
【図２】
2012064363.tif 000004
【図３】
2012064363.tif 000005
【図４】
2012064363.tif 000006
【図５】
2012064363.tif 000007
【図６】
2012064363.tif 000008
【図７】
2012064363.tif 000009
【図８】
2012064363.tif 000010
【図９】
2012064363.tif 000011
【図１０】
2012064363.tif 000012
【図１１】
2012064363.tif 000013
【図１２】
2012064363.tif 000014